(57)【特許請求の範囲】
【請求項１】
床面に設置されるケース及び該ケースに上方に突出可能に収納されたガイドピンを備えた床面設置部材と、該床面設置部材の突出したガイドピンが挿入される吊り戸本体の案内溝部材とを備え、前記ガイドピンを案内溝部材との間で作用する磁力により突出させるようにした吊り戸の下部振止装置において、前記案内溝部材の端部に磁石を配設するとともに、該磁石の下部に、突出したガイドピン上面を線接触で受ける突条を案内溝と平行に下方に向けて突設したことを特徴とする吊り戸の下部振止装置。
【請求項２】
ガイドピンとケースの少なくとも一方に、ばねにより付勢された状態で退入可能に突出し、相手側部材の一部に係止することによりガイドピンの突出状態を保持する係止部材を設けるとともに、案内溝部材の端部及び突条に、突出したガイドピンに摺接することによりガイドピンを係止部材に抗して退入させる傾斜を設けたことを特徴とする請求項１記載の吊り戸の下部振止装置。
【発明の詳細な説明】
【技術分野】
【０００１】
本発明は、吊り戸の下部振止装置に関し、特に、ガイドピンが突出する際の案内溝とのぶつかり音を低減することにより、吊り戸の品位が向上するようにした吊り戸のガイド装置に関するものである。
【背景技術】
【０００２】
従来、特許文献１に開示されるように、天井レールにランナーを介して走行自在に吊り下げられた吊り戸に対し、床面に設置した床面設置部材に磁力によって突出可能に設けられたガイドピンが、吊り戸本体の下面に形成された案内溝に挿入されることにより、吊り戸のガイドを行う吊り戸の下部振止装置が知られている。
この吊り戸の下部振止装置は、床に配設されるケースと、該ケースに上方に突出可能に収納されたガイドピンとを備え、ガイドピンを突出させた状態を磁力により維持しながら吊り戸のガイドを行うようにしている。
【０００３】
しかしながら、上記従来の吊り戸のガイド装置は、ガイドピンが磁力により突出する際に、ガイドピンの上面が案内溝の底面に勢いよく当たることから、面と面のぶつかりによる大きな音をたてるという問題があった。
【特許文献１】特開平１１−７１９５４号公報
【発明の開示】
【発明が解決しようとする課題】
【０００４】
本発明は、上記従来の吊り戸の下部振止装置が有する問題点に鑑み、ガイドピンが突出する際の案内溝とのぶつかり音を低減することにより、吊り戸の品位が向上するようにした吊り戸のガイド装置を提供することを目的とする。
【課題を解決するための手段】
【０００５】
上記目的を達成するため、本発明の吊り戸の下部振止装置は、床面に設置されるケース及び該ケースに上方に突出可能に収納されたガイドピンを備えた床面設置部材と、該床面設置部材の突出したガイドピンが挿入される吊り戸本体の案内溝部材とを備え、前記ガイドピンを案内溝部材との間で作用する磁力により突出させるようにした吊り戸の下部振止装置において、前記案内溝部材の端部に磁石を配設するとともに、該磁石の下部に、突出したガイドピン上面を線接触で受ける突条を案内溝と平行に下方に向けて突設したことを特徴とする。
【０００６】
この場合において、ガイドピンとケースの少なくとも一方に、ばねにより付勢された状態で退入可能に突出し、相手側部材の一部に係止することによりガイドピンの突出状態を保持する係止部材を設けるとともに、案内溝部材の端部及び突条に、突出したガイドピンに摺接することによりガイドピンを係止部材に抗して退入させる傾斜を設けることができる。
【発明の効果】
【０００７】
本発明の吊り戸の下部振止装置によれば、床面に設置されるケース及び該ケースに上方に突出可能に収納されたガイドピンを備えた床面設置部材と、該床面設置部材の突出したガイドピンが挿入される吊り戸本体の案内溝部材とを備え、前記ガイドピンを案内溝部材との間で作用する磁力により突出させるようにした吊り戸の下部振止装置において、前記案内溝部材の端部に磁石を配設するとともに、該磁石の下部に、突出したガイドピン上面を線接触で受ける突条を案内溝と平行に下方に向けて突設することから、ガイドピンが突出する際のガイドピン上面と案内溝底面の面と面のぶつかりを突条によって阻止するとともに、ガイドピンを突条により線接触で受けることにより、ガイドピンの案内溝とのぶつかり音を低減し、吊り戸の品位を向上させることができる。
【０００８】
この場合、ガイドピンとケースの少なくとも一方に、ばねにより付勢された状態で退入可能に突出し、相手側部材の一部に係止することによりガイドピンの突出状態を保持する係止部材を設けるとともに、案内溝部材の端部及び突条に、突出したガイドピンに摺接することによりガイドピンを係止部材に抗して退入させる傾斜を設けることにより、磁力により突出状態としたガイドピンを係止部材により保持するとともに、吊り戸の端部では案内溝部材及び突条の傾斜によって突出状態のガイドピンを退入させることができる。
【発明を実施するための最良の形態】
【０００９】
以下、本発明の吊り戸の下部振止装置の実施の形態を図面に基づいて説明する。
【実施例１】
【００１０】
図１〜図７に、本発明の吊り戸の下部振止装置の一実施例を示す。
この吊り戸の下部振止装置は、床面２に設置されるケース３及び該ケース３に上方に突出可能に収納されたガイドピン４を備えた床面設置部材１と、該床面設置部材１の突出したガイドピン４が挿入される吊り戸本体５の案内溝部材６とを備え、前記ガイドピン４を案内溝部材６との間で作用する磁力により突出させるようにしている。
そして、この吊り戸の下部振止装置は、図１に示すように、前記案内溝部材６の端部に磁石１０を配設するとともに、該磁石１０の下部に、突出したガイドピン４を受ける２本の突条９を案内溝６１に沿って設けている。
また、この吊り戸の下部振止装置は、ガイドピン４及びケース３に、ばね７ａ、７ｂにより付勢された状態で退入可能に突出し、相手側部材の一部に係止することによりガイドピン４の突出状態を保持する係止部材８ａ、８ｂを設けるとともに、案内溝部材６の端部と前記した突条９とに、突出したガイドピン４に摺接することによりガイドピン４を係止部材８ａ、８ｂに抗して退入させる傾斜を設けている。
【００１１】
ケース３は、鍔部３１を備えた円筒体からなり、後述するガイドピン４の第１筒体４ａの下部に係止することによりこの第１筒体４ａの突出状態を保持する係止部材８ａを備えている。
係止部材８ａは、ばね７ａにより付勢されたボールからなり、通常は半径内方向に一部が突出した状態にあり、第１筒体４ａの下部が通過する際に押圧されて退入する。
なお、本実施例においては、係止部材８ａは、ケース３にばね７ａと共に挿入され、ばね７ａの背面に栓部材３５を配設することにより、ケース３に抜け止め状態に封入されるようにしている。
また、ケース３は、抜け止めピン３２によって、第１筒体４ａの退入時の下限位置決めを図るとともに、図示省略する係合手段により、第１筒体４ａの突出時の上限位置決めを図るようにしている。
【００１２】
ガイドピン４は、ケース３に直接摺動可能に収納された第１筒体４ａと、該第１筒体４ａの内部に摺動可能に収納された第２筒体４ｂとを備え、これら第１筒体４ａと第２筒体４ｂとは、２段の入れ子状に形成されている。
第１筒体４ａは、抜け止めピン４１によって、第２筒体４ｂの退入時の下限の位置決めを図るとともに、図示省略する係合手段により、第２筒体４ｂの突出時の上限位置決めを図るようにしている。
これにより、磁石１０により第１筒体４ａが引き上げられると、前記係合手段により、続いて第２筒体４ｂが第１筒体４ａを介して引き上げられる。
【００１３】
第１筒体４ａは円筒体からなり、ケース３の抜け止めピン３２が挿通する切欠部４２を係止部材８側に有し、浅くなった外周の下部４３を係止部材８の被係止部とするとともに、この被係止部の後方に、係止部材８が突出状態で摺動可能に挿通する溝４４を軸方向に形成している。
また、第１筒体４ａの内周の上部４５は、後述する第２筒体４ｂの係止部材８ｂの被係止部となっており、この被係止部の後方には、係止部材８ｂが突出状態で摺動可能に挿通する溝４６が軸方向に形成されている。
このように被係止部の後方に、係止部材８ａ、８ｂが突出状態で挿通する溝４４、４６を形成することにより、被係止部を乗り越えた係止部材８ａ、８ｂと第１筒体４ａ及び第２筒体４ｂとの間の抵抗をなくし、第１筒体４ａ及び第２筒体４ｂをスムーズに退入させるとともに、この溝４４、４６をガイドとして係止部材８ａ、８ｂが挿通することにより、第１筒体４ａ及び第２筒体４ｂの昇降を円滑に行うことができる。
【００１４】
第２筒体４ｂは有蓋の円筒体からなり、第１筒体４ａの上部４５に係止することによりこの第２筒体４ｂの突出状態を保持する係止部材８ｂを備えている。
係止部材８ｂは、ばね７ｂにより付勢されたボールからなり、通常は半径外方向に一部が突出した状態にあり、第１筒体４ａの上部４５を通過する際に押圧されて退入する。
また、第２筒体４ｂは、鉄等の磁性体材料からなり、案内溝部材６の端部に配設した磁石１０に吸着されるようにする。
なお、本実施例においては、係止部材８ｂは、分割形成した第２筒体４ｂにばね７ｂと共に挿入され、分割形成した第２筒体４ｂをねじ４７により一体化することにより、第２筒体４ｂに抜け止め状態に封入されるようにしている。
【００１５】
一方、本実施例の吊り戸の下部振止装置においては、ガイドピン４を、ケース３に対して偏心して配設しており、これにより、ケース３を床面２に設置する際に、ケース３を回転することによって、ガイドピン４の吊り戸本体５の案内溝６１に対する位置を調整できるようにしている。
この場合、ケース３とガイドピン４とが同心となるように配設することもできる。
【００１６】
さらに、本実施例の吊り戸の下部振止装置においては、ケース３を床面２に設置するに当たり、図７に示すように、ケース３を、合成樹脂等の材料で形成したアウター部材１１を介して、床面２に設置するようにしている。
アウター部材１１には、ケース３の外周面に形成した抜け止め用溝３４に嵌合する抜け止め用突起(図示省略)を形成するようにする。
これにより、ケース３を床面２に一旦設置した後でも、アウター部材１１内でケース３を回転することが可能となり、ケース３の設置状態が緩むことなく、ガイドピン４の吊り戸本体５の案内溝６１に対する位置調整を、容易に、かつ何度でも行うことができる。
また、ケース３の底面及びアウター部材１１の内底面は、ケース３とアウター部材１１とが任意の回転位置で嵌合できる嵌合構造の凹凸３３が形成されており、これにより、ケース３とアウター部材１１との位置関係を正確に保持することができる。
【００１７】
一方、吊り戸本体５は、天井レールにランナー（図示省略）を介して走行自在に吊り下げられており、その下面には案内溝部材６が配設されている。
案内溝部材６は、床面設置部材１のガイドピン４が挿入される案内溝６１が形成されるとともに、案内溝部材６の端部には、突出したガイドピン４に摺接することによりガイドピン４を係止部材８ａ、８ｂに抗して退入させる傾斜が設けられている。
また、案内溝部材６は、吊り戸本体５の端部側にのみガイドピン４を吸着する磁石１０を配設するようにしており、本実施例では、前記傾斜を磁石１０により形成している。
【００１８】
磁石１０の下部には、案内溝６１と平行の２本の突条９が下に向かって突出するように設けられており、該突条９の先端部は、図１（ｄ）に示すように、刃の先端部のように薄く形成されている。
この突条９は、案内溝部材６の端部側が低い傾斜を付して設けられており、磁力によってガイドピン４が突出した際に、このガイドピン４を斜めでしかも細い線接触で受けることにより、ガイドピンの案内溝とのぶつかり音を低減している。
本実施例では、突条９は磁性体によって構成されており、磁石１０の磁力が伝達されている。
なお、案内溝６１は、突条９が設けられる端部側を広く形成し、ガイドピン４の吸着を行いやすくするとともに、中央側に移行する途中で徐々に細く形成することにより、案内溝６１の幅を狭くして、吊り戸の案内を揺れの少ない状態で行うようにしている。
【００１９】
次に、この吊り戸の下部振止装置の動作を説明する。
この吊り戸の下部振止装置は、吊り戸本体５が、床面２に設置された床面設置部材１の上方位置に来ると、図２（ａ）及び図３に示すように、吊り戸本体５の端部側に配設した磁石１０によって第２筒体４ｂが吸着され、図２（ｂ）及び図４に示すように、ガイドピン４（第１筒体４ａ及び第２筒体４ｂ）はケース３内から上方に突出し、吊り戸本体５の案内溝部材６の案内溝６１に自動的に挿入される。
このとき、ガイドピン４が突出する際のガイドピン上面と案内溝底面の面と面のぶつかりを突条９によって阻止するとともに、ガイドピン４を突条９によって線接触で受けることにより、ガイドピン４の案内溝６１とのぶつかり音を小さくしている。
また、図２（ｂ）及び図４に示すように、第２筒体４ｂの係止部材８ｂが第１筒体４ａの上部４５を乗り越えて、この第１筒体４ａの上部４５に係止するとともに、ケース３の係止部材８が第１筒体４ａの下部４３を乗り越えて、この第１筒体４ａの下部４３に係止することにより、第１筒体４ａと第２筒体４ｂは突出状態に保持される。
これにより、図２（ｂ）及び図４に示すように、ガイドピン４を吸着する磁石１０が存在しない吊り戸本体５の中央部においても、ガイドピン４を確実に保持することができる。
【００２０】
そして、図２（ｃ）及び図５に示すように、さらに吊り戸本体５が移動して端部に来ると、案内溝部材６に形成した傾斜が、突出する第１筒体４ａと第２筒体４ｂに摺接し、これら第１筒体４ａと第２筒体４ｂとを係止部材８ａ、８ｂに抗して押し下げる。
これにより、図２（ｄ）及び図６に示すように、第１筒体４ａと第２筒体４ｂ、すなわちガイドピン４をケース３内に退入させることができる。
【００２１】
かくして、本実施例の吊り戸の下部振止装置は、床面に設置されるケース３及び該ケース３に上方に突出可能に収納されたガイドピン４を備えた床面設置部材１と、該床面設置部材１の突出したガイドピン４が挿入される吊り戸本体５の案内溝部材６とを備え、前記ガイドピン４を案内溝部材６との間で作用する磁力により突出させるようにした吊り戸の下部振止装置において、前記案内溝部材６の端部に磁石１０を配設するとともに、該磁石１０の下部に、突出したガイドピン４を受ける突条９を案内溝６１に沿って設けることから、ガイドピン４が突出する際のガイドピン上面と案内溝底面の面と面のぶつかりを突条９によって阻止するとともに、ガイドピン４を突条９により線接触で受けることにより、ガイドピン４の案内溝６１とのぶつかり音を低減し、吊り戸の品位を向上させることができる。
【００２２】
この場合、ガイドピン４とケース３の少なくとも一方に、ばね７ａ、７ｂにより付勢された状態で退入可能に突出し、相手側部材の一部に係止することによりガイドピン４の突出状態を保持する係止部材８ａ、８ｂを設けるとともに、案内溝部材６の端部に、突出したガイドピン４に摺接することによりガイドピン４を係止部材８ａ、８ｂに抗して退入させる傾斜を設けることにより、磁力により突出状態としたガイドピン４を係止部材８ａ、８ｂにより保持するとともに、吊り戸の端部では案内溝部材６の傾斜によって突出状態のガイドピン４を退入させることができる。
【００２３】
そして、相手側部材の被係止部の後方に、係止部材８ａ、８ｂが突出状態で摺動可能に挿通する溝４４、４６を形成することにより、被係止部を乗り越えた係止部材８ａ、８ｂと相手側部材との間の抵抗をなくし、ガイドピン４をスムーズに退入させるとともに、この溝４４、４６をガイドとして係止部材８ａ、８ｂが挿通することにより、ガイドピン４の昇降を円滑に行うことができる。
【００２４】
また、ガイドピン４の少なくとも一部を磁性体材料で構成するとともに、吊り戸本体５の端部側にのみガイドピン４を吸着する磁石１０を配設するようにすることにより、ガイドピン４を含む床面設置部材１側に磁石を設ける必要がなく、床面設置部材１の構造を簡易にして製造コストを低廉にするとともに、床面設置部材１側に故障の原因となる鉄粉や金属片が吸着されないようにすることができる。
【００２５】
また、ガイドピン４を複数段の入れ子状の筒体４ａ、４ｂにより形成することにより、ガイドピン４に必要なストロークと剛性を確保しながら、ケース３を短く形成することができ、これにより、床材の厚さの範囲に収まる浅い埋め込み孔でも設置できるようになり、床スラブが障害となるような建物の床面にも吊り戸の下部振止装置の床面設置部材１を容易に設置することができる。
【００２６】
以上、本発明の吊り戸の下部振止装置について、その実施例に基づいて説明したが、本発明の吊り戸の下部振止装置は、上記実施例の構成に限定されるものではなく、例えば、ガイドピンの頭部を大径に形成し、この大径の頭部を、案内溝の下部両側から延設したフランジにより掛止することにより、ガイドピンの突出状態を保持するような吊り戸の下部振止装置にも適用しうるなど、その趣旨を逸脱しない範囲において適宜に変更することが可能である。
【産業上の利用可能性】
【００２７】
本発明の吊り戸の下部振止装置は、ガイドピンが突出する際の案内溝とのぶつかり音を低減し、吊り戸の品位を向上させることから、吊り戸の下部振止の用途に広く用いることができる。
【図面の簡単な説明】
【００２８】
【図１】本発明の吊り戸の下部振止装置の一実施例を示し、（ａ）は案内溝部材の平面図、（ｂ）は同断面正面図、（ｃ）は同底面図、（ｄ）は突条とガイドピンの当接状態を示す断面側面図、（ｅ）は案内溝部材の右側面図である。
【図２】同実施例の吊り戸の下部振止装置を示し、（ａ）はガイドピンが突出過程にある状態を示す断面図、（ｂ）はガイドピンが突出した状態を示す断面図、（ｃ）はガイドピンが退入過程にある状態を示す断面図、（ｄ）はガイドピンが退入した状態を示す断面図である。
【図３】同吊り戸の下部振止装置のガイドピンが突出過程にある状態を示す断面図である。
【図４】同吊り戸の下部振止装置のガイドピンが突出した状態を示す断面図である。
【図５】同吊り戸の下部振止装置のガイドピンが退入過程にある状態を示す断面図である。
【図６】同吊り戸の下部振止装置のガイドピンが退入した状態を示す断面図である。
【図７】同吊り戸の下部振止装置の吊り戸に直交する方向の断面図である。
【符号の説明】
【００２９】
１    床面設置部材
２    床
３    ケース
３１  鍔部
３２  抜け止めピン
３３  凹凸（嵌合構造）
３４  抜け止め用溝
４    ガイドピン
４ａ  第１筒体
４ｂ  第２筒体
４１  抜け止めピン
４２  切欠部
４３  下部
４４  溝
４５  上部
４６  溝
５    吊り戸本体
６    案内溝部材
６１  案内溝
７ａ  ばね
７ｂ  ばね
８ａ  係止部材
８ｂ  係止部材
９    突条
１０  磁石
１１  アウター部材
【図１】
0004828205.tif 000002
【図２】
0004828205.tif 000003
【図３】
0004828205.tif 000004
【図４】
0004828205.tif 000005
【図５】
0004828205.tif 000006
【図６】
0004828205.tif 000007
【図７】
0004828205.tif 000008